(57)【要約】      （修正有）【課題】電車等において着席できた場合において、傘を保持することのできる鞄であって、両手を開放し、手を使用せずに鞄及び傘を保持することができる鞄を提供する。【解決手段】持ち手のある面に対向する面に傘保持用ベルト４及び鞄側の面ファスナ５を備え、傘保持用ベルトの一端が固定され、他端にベルト側の面ファスナ７を備える。２つの面ファスナにより、傘保持用ベルトを伸ばして固定することと、傘保持用ベルトを湾曲させて傘を挿入する空間を設けるように固定することとの両方を可能とする。【選択図】図２
0003184480.tif 000002
【実用新案登録請求の範囲】
【請求項１】
略直方体形状であり、
その１面（上面）側に持ち手を備え、
前記上面に対向する面（底面）に傘保持用ベルト及び鞄側の面ファスナを備え、
前記傘保持用ベルトは、その一端が前記底面の中心から前記底面の長辺方向にずらした箇所に固定され、前記固定箇所から前記底面の中心を通り前記底面の長辺方向に延び、前記傘保持用ベルトを伸ばした状態において前記一端と反対側の固定されていない端（他端）は前記底面に接し、その前記底面に接する側の前記他端から前記一端に向かう箇所にベルト側の面ファスナを備えるものであり、
前記鞄側の面ファスナは、前記傘保持用ベルトを伸ばした状態において前記他端の接する箇所から前記底面の中心に向けて備えられていることを特徴とする、鞄。
【請求項２】
前記底面のうち、前記固定箇所と前記鞄側の面ファスナとの間の前記底面の中心を含む領域が、浸透防止機能を有することを特徴とする、請求項１に記載の鞄。
【考案の詳細な説明】
【技術分野】
【０００１】
本考案は、傘を保持する鞄に関するものである。
【背景技術】
【０００２】
サラリーマンにとって、雨天の日に、鞄と傘を持って電車を利用することは不便である。着席できない場合には、鞄と傘の２物品を保持するために、２本の手を使ってしまうことが多い。着席できた場合にも鞄を膝に置いて傘を保持していなければならない。傘の保持のために少なくとも一方の手を使わねばならず、読書等を楽しむことができない。
【０００３】
鞄と傘を片手で保持するために工夫された鞄が開示されている。特許文献１には、傘を固定して把持する鞄が開示されている。また、特許文献２には、閉じた傘を取付けて片手で携行できる鞄が開示されている。
しかし、特許文献１、２を含め、開示されているいずれの鞄も、電車等において着席できた場合における傘の保持を考慮したものではなかった。
【先行技術文献】
【特許文献】
【０００４】
【特許文献１】特開２０１０−２４０３３１号公報
【特許文献２】特開２０００−０１４４３７号公報
【考案の概要】
【考案が解決しようとする課題】
【０００５】
解決しようとする課題は、電車等において着席できた場合において、傘を保持することのできる鞄であって、両手を開放できる（手を使用せずに鞄及び傘を保持することが可能である）ものを提供することである。
【課題を解決するための手段】
【０００６】
本考案の鞄は、
略直方体形状であり、
その１面（上面）側に持ち手を備え、
前記上面に対向する面（底面）に傘保持用ベルト及び鞄側の面ファスナを備え、
前記傘保持用ベルトは、その一端が前記底面の中心から前記底面の長辺方向にずらした箇所に固定され、前記固定箇所から前記底面の中心を通り前記底面の長辺方向に延び、前記傘保持用ベルトを伸ばした状態において前記一端と反対側の固定されていない端（他端）は前記底面に接し、その前記底面に接する側の前記他端から前記一端に向かう箇所にベルト側の面ファスナを備えるものであり、
前記鞄側の面ファスナは、前記傘保持用ベルトを伸ばした状態において前記他端の接する箇所から前記底面の中心に向けて備えられていることを特徴とする。
【０００７】
着席して鞄を脚の上に置いている状態において、床に立てた傘を鞄の底面で保持する。これにより、手を使わずに鞄と傘の両方を保持することができる。
傘のサイズが各々の傘に依存して相違するが、面ファスナを用いて各種サイズの傘に対応する。
傘保持用ベルトは、傘を保持していないときには、伸ばした状態となって底面に密着し、鞄の外方に大きく突出して鞄の使用における障害となることがない。
【０００８】
本考案の鞄は、
前記底面のうち、前記固定箇所と前記鞄側の面ファスナとの間の前記底面の中心を含む領域が、浸透防止機能を有することを特徴とする。
【０００９】
傘が底面に接するが、雨天時に電車に乗るときには傘は濡れている場合が多い。保持された傘から発せられる水が鞄の中に入らないようにする。
ここで、「浸透防止機能」は、当該領域にビニールを貼付することによって実現できる。その他の方法によって実現してもよい。
【考案の効果】
【００１０】
電車等において着席できた場合において、傘を保持することのできる鞄であって、両手を開放できる（手を使用せずに鞄及び傘を保持することが可能である）ものが提供される。
また、考案の実施の態様により、濡れた傘から発せられる水が鞄の中に入らないものが提供される。
【図面の簡単な説明】
【００１１】
【図１】図１は、鞄を示す図である。
【図２】図２は、底面を示す詳細図である。
【図３】図３は、使用状態を示す図である。
【考案を実施するための形態】
【００１２】
図１は、鞄を示す図である。鞄１は、角部に若干の丸みを持っているが略直方体形状である。持ち手２が上面に設けられており。上面と対向する底面３に傘保持用ベルト４及び鞄側の面ファスナ５（図においては傘保持用ベルト４の後側にあり見えない。）が設けられている。
【００１３】
図２は、底面を示す詳細図である。
（ａ）は、説明のために傘保持用ベルト４を図における手前側に移動させて描いた図である。傘保持用ベルト４は、その一端が固定箇所６において底面３に縫着により固定されている。なお、縫着以外の方法で固定してもよい。固定箇所６は底面３の中心から底面３の長辺方向に（図においては左側に）ずらした箇所に存在する。傘保持用ベルト４の固定箇所６と反対側の端には、ベルト側の面ファスナ７が備えられている。底面３には、鞄側の面ファスナ５が備えられている。また、固定箇所６と鞄側の面ファスナ５との間の底面３の中心を含む領域が、ビニールの貼付された浸透防止箇所８である。
【００１４】
（ｂ）及び（ｃ）は、使用状態を示す図である。
（ｂ）は、傘を保持する状態を示す図である。ベルト側の面ファスナ７（図においては、傘保持用ベルト４のベルト側の面ファスナ７の裏側の箇所を符号７ｘで示す。）が鞄側の面ファスナ５の図における左側に固定され、傘保持用ベルト４が湾曲して傘を保持する空間が構成される。傘は、浸透防止箇所８に接して保持される。傘が濡れていても、傘から発せられる水が鞄１の中に入ることはない。
（ｃ）は傘を保持しない状態を示す図である。ベルト側の面ファスナ７が鞄側の面ファスナ５の図における右側に固定され、傘保持用ベルト４が伸張して底面３に密着される。
（ｂ）に示された状態と（ｃ）に示された状態とを切り替えることは、面ファスナの操作のみであり、容易に行うことができる。着席時に傘を保持すること、離席時に傘の保持を解除することを短時間で行えるものである。
【００１５】
図３は、使用状態を示す図である。電車で着席して鞄を脚の上に置いている状態のものである。
（ａ）は、正面から見た図である。脚１０に鞄１が載せられ、傘９は直立した状態で保持されている。
（ｂ）は上面から見た図である。傘９が傘保持用ベルト４によって保持されているので、両手が開放され、読書等を行うことができる。
【産業上の利用可能性】
【００１６】
電車等において着席できた場合において、傘を保持することのできる鞄であって、両手を開放できるものであり、多くの個人、特にサラリーマン、による利用が考えられる。
【符号の説明】
【００１７】
１    鞄
２    持ち手
３    底面
４    傘保持用ベルト
５    鞄側の面ファスナ
６    固定箇所
７    ベルト側の面ファスナ
８    浸透防止箇所
９    傘
１０  脚
【図１】
0003184480.tif 000003
【図２】
0003184480.tif 000004
【図３】
0003184480.tif 000005